(57)【要約】【課題】適切な専門医と医療施設を状況に応じてマッチングする医療支援サーバを提供する。【解決手段】ネットワークを介して、第１の端末および第２の端末と通信可能な医療支援サーバであって、第１の端末および第２の端末のそれぞれが備える入力手段により入力されたデータを受信する受信手段と、受信手段で受信したデータを保存する保存手段と、第１または第２の端末からの指示に基づいて制御を行う制御手段と、第１および第２の端末の間でカンファレンスを行うカンファレンス手段と、を備える。制御手段は、第１の端末からの指示により、カンファレンス手段を用いて第２の端末とカンファレンスを行うと共に、第１の端末から受信したデータに基づいて、保存手段に保存された第２の端末のデータのうち、所定の情報を取得し、第１および第２の端末に表示するための表示情報を第１および第２の端末に送信する。【選択図】図１
2017146809.tif 000002
【特許請求の範囲】
【請求項１】
ネットワークを介して、第１の端末および第２の端末と通信可能な医療支援サーバであって、
前記第１の端末および前記第２の端末のそれぞれが備える入力手段により入力されたデータを受信する受信手段と、
前記受信手段で受信したデータを保存する保存手段と、
前記第１または前記第２の端末からの指示に基づいて制御を行う制御手段と、
前記第１および第２の端末の間でカンファレンスを行うカンファレンス手段と、
を備え、
前記制御手段は、前記第１の端末からの指示により、前記カンファレンス手段を用いて前記第２の端末とカンファレンスを行うと共に、前記第１の端末から受信したデータに基づいて、前記保存手段に保存された前記第２の端末のデータのうち、所定の情報を取得し、前記第１および第２の端末に表示するための表示情報を前記第１および第２の端末に送信する
ことを特徴とする医療支援サーバ。
【請求項２】
前記第１の端末からのデータは、前記第１の端末の位置情報、前記第１の端末に保存された医療用画像データ、または患者情報を含み、
前記第２の端末からのデータは、医療施設の位置情報および設備情報を含む施設情報と、医師情報を含む
ことを特徴とする請求項１に記載の医療支援サーバ。
【請求項３】
前記カンファレンス手段は、前記カンファレンスの際に前記医療用画像データを表示するための表示情報を前記第１および第２の端末に送信し、前記制御手段は、前記第１の端末の位置情報と、前記入力手段から入力されたデータに基づいて、前記保存手段に保存された前記第２の端末のデータのうち前記施設情報を表示するための表示情報を前記第１および第２の端末に送信する
ことを特徴とする請求項２に記載の医療支援サーバ。
【請求項４】
前記カンファレンス手段は、前記カンファレンスの際に前記医療用画像データを表示するための表示情報を前記第１および第２の端末に送信し、前記制御手段は、前記第１の端末の位置情報と、前記第２の端末の前記入力手段から入力されたデータに基づいて前記保存手段に保存された前記第３の端末の情報を表示するための表示情報を前記第１および第２の端末に送信する
ことを特徴とする請求項２に記載の医療支援サーバ。
【請求項５】
前記カンファレンスの予約を行う予約手段
をさらに備え、
前記制御手段は、前記予約手段で予約された情報に基づいて、前記カンファレンス手段を用いて前記カンファレンスを開始する
ことを特徴とする請求項１〜４のいずれか１項に記載の医療支援サーバ。
【請求項６】
医療支援サーバと、第１の端末および第２の端末とが、ネットワークを介して互いに通信可能な医療支援システムであって、
前記医療サーバは、
前記第１の端末および前記第２の端末のそれぞれが備える入力手段により入力されたデータを受信する受信手段と、
前記受信手段で受信したデータを保存する保存手段と、
前記第１または前記第２の端末からの指示に基づいて制御を行う制御手段と、
前記第１および第２の端末の間でカンファレンスを行うカンファレンス手段と、
を備え、
前記第１または第２の端末は、
前記データを入力する入力手段と、
前記データを前記医療サーバへ送信手段と、
前記医療サーバから送信された表示情報に基づいて表示を行う表示手段と、
を備え、
前記制御手段は、前記第１の端末からの指示により、前記カンファレンス手段を用いて前記第２の端末とカンファレンスを行うと共に、前記第１の端末から受信したデータに基づいて、前記保存手段に保存された前記第２の端末のデータのうち、所定の情報を取得し、前記第１または第２の端末に表示するための表示情報を前記第１または第２の端末に送信し、前記表示手段は、前記表示情報に基づいて表示を行う
ことを特徴とする医療支援システム。
【発明の詳細な説明】
【技術分野】
【０００１】
本発明は、医療支援サーバ及び医療支援システムに関し、特に専門医や医療施設のマッチング技術に関する。
【背景技術】
【０００２】
診療において、例えば、遠隔地の場合、適切な専門医が不在していることが多い。このため、遠隔地から紹介状で大学病院などの大病院へ通院することがある。この場合、紹介を受けた医師は、予めその患者のデータ等を確認したり、患者の担当医と直接カンファレンスすることが望ましい。また、救急搬送時には、症状によっては、救急隊員に判断ができない場合や、処置が可能な設備や専門医を有する医療施設が限られる場合がある。この場合、受け入れ困難な病院等を何か所も周り、たらい回しのような状況になることがある。そこで、例えば、特許文献１では、患者を特定する情報から、過去の診療履歴を参照し、診療科、担当医師、医療機関等を抽出することが開示されている。
【先行技術文献】
【特許文献】
【０００３】
【特許文献１】特開２０１２−２１２１９９号公報
【発明の概要】
【発明が解決しようとする課題】
【０００４】
しかしながら、特許文献１では、遠隔地へ移住したり、過去の診療履歴が不明な場合など、適切な医療施設等を抽出することが難しい場合がある。また、例えば、遠隔地の病院等で診断した結果、専門医不在のために大学病院などの設備の整った医療施設へ紹介状を持って通院する場合がある。この場合、比較的に近い場所で、専門医が在籍しており、かつ適切な処置を行うことができる医療施設があるにも関わらず、わざわざ遠い医療施設へ通院することになるなどのミスマッチが起こりやすく、患者は余計な負担を強いられることとなる。また、救急搬送時には、症状によっては、処置が可能な設備や専門医を有する医療施設が限られる場合がある。この場合、受け入れ困難な病院等を何か所も周り、たらい回しのような状況になることがある。また、救急搬送時には、救急隊員では判断のつかない症状である場合に、その場で取得した医療用画像と共に専門医と直接カンファレンスできる環境が望まれる。
【０００５】
本発明は、上記の課題を鑑み、適切な専門医と医療施設を状況に応じてマッチングする医療支援サーバを提供することを目的とする。
【課題を解決するための手段】
【０００６】
上記課題を解決するために、本発明は、ネットワークを介して、第１の端末および第２の端末と通信可能な医療支援サーバであって、前記第１の端末および前記第２の端末のそれぞれが備える入力手段により入力されたデータを受信する受信手段と、前記受信手段で受信したデータを保存する保存手段と、前記第１または前記第２の端末からの指示に基づいて制御を行う制御手段と、前記第１および第２の端末の間でカンファレンスを行うカンファレンス手段と、を備え、前記制御手段は、前記第１の端末からの指示により、前記カンファレンス手段を用いて前記第２の端末とカンファレンスを行うと共に、前記第１の端末から受信したデータに基づいて、前記保存手段に保存された前記第２の端末のデータのうち、所定の情報を取得し、前記第１および第２の端末に表示するための表示情報を前記第１および第２の端末に送信することを特徴とする。
【発明の効果】
【０００７】
本発明によれば、適切な専門医と医療施設を状況に応じてマッチングする医療支援サーバを提供することができる。また、カンファレンスを行いながらマッチング処理を行うことで、より適切な、専門医や医療施設のマッチングを行うことができる。さらに、救急搬送時に適切な処置が可能な医療施設をマッチングすることができる。
【図面の簡単な説明】
【０００８】
【図１】医療ネットワークシステムの全体を示す概略図である。
【図２】管理サーバおよび端末のブロック図である。
【図３】マッチング処理を示すシーケンス図である。
【図４】管理サーバが保存するデータの一例を示す図である。
【図５】カンファレンスの予約処理を示すフローチャートである。
【図６】救急時のマッチング処理を示すシーケンス図である。
【発明を実施するための形態】
【０００９】
本発明の医療支援システムの一実施形態に係る医療ネットワークシステムについて、図面を参照して説明する。尚、以下に示す実施例は本発明の医療ネットワークシステムにおける好適な具体例であり、施術的に好ましい種々の限定を付している場合もあるが、本発明の技術範囲は、特に本発明を限定する記載が無い限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。従って、以下に示す実施形態の記載をもって、特許請求の範囲に記載された発明の内容を限定するものではない。
【００１０】
（第１実施形態）
まず、図１を参照して、本実施形態に係る医療ネットワークシステムについて説明する。本実施形態に係る医療ネットワークシステム（マッチング医療ネットワークシステム）は、ネットワーク１０１を通じて互いに双方向通信可能に接続した管理サーバ（医療支援サーバ）１００と、第１の端末１０２と、第２の端末１０３とを含む。第１の端末１０２および第２の端末１０３は、それぞれ異なる医療施設に設けられた端末であり、本実施形態では、２つの端末を例にしているが、これに限定することなく、例えば、３以上の端末であってもよい。
【００１１】
管理サーバ（医療支援サーバ）１００は、第１の端末１０２や第２の端末１０３から送信されたデータを保存したり、第１の端末１０２または第２の端末１０３からの指示により端末間でのカンファレンスを制御する。第１の端末１０２および第２の端末１０３は、ネットワークに接続され、医療用画像などが表示可能なビューワ、カンファレンスが可能なウェブカメラなどのビデオ機器、およびマイクなどの音声機器を備える汎用な装置であってよい。例えば、小型ＰＣ、携帯電話、スマートフォンなどの携帯用端末、またはディスクトップＰＣなどの据え置きの情報処理装置であってもよい。
【００１２】
ここで、カンファレンスとは、２以上の複数の端末で行われ、互いの映像および音声を相互に伝達することにより行うカンファレンスであるが、映像無しの音声のみのカンファレンスであってもよい。なお、本実施形態では、カンファレンスの際、音声や映像だけでなく、例えば、管理サーバ１００から送信される医療用画像の表示や、閲覧・操作入力可能な患者情報などの各種情報を表示する。各端末で、医療用画像や各種情報を表示する際は、医療用画像の生データや圧縮データを受信して表示するのではなく、ブラウザなどのビューワで表示可能な表示情報を受信して表示する。これにより、ネットワーク回線の帯域が狭い地域など、どのような回線状況であっても、データ量の多い医療用画像などを表示しつつカンファレンスが可能になる。また、医療用画像とは、ＭＲＩ画像やＣＴ画像などの医療現場で使用される２Ｄ（２次元）または３Ｄ（３次元）の画像であるが、これに限定することなく、一般に広く使用されている、例えば、ＪＰＥＧやＧＩＦなどの画像であってもよい。
【００１３】
次に、図２を参照して、管理サーバ１００、第１の端末１０２、第２の端末１０３の構成について説明する。管理サーバ１００は、管理サーバ１００の全体を制御する制御部（制御手段）２０１と、通信部（受信手段）２０２と、紐付け部２０３と、医療用画像や患者情報などのデータを保存（記憶）するデータベース（保存手段）２０４と、カンファレンス処理部（カンファレンス手段）２０５を備える。なお、本実施形態では、医療用画像としてＤＩＣＯＭ画像を例に説明しているが、他の規格の医療用画像であってもよく、共通のデータ形式を有する医療用画像であってもよい。通信部２０２は、第１の端末１０２や第２の端末１０３、その他、外部装置と通信を行う。紐付け部２０３は、第１の端末１０２または第２の端末１０３から送信された情報（データ）に紐付く、予めデータベース２０４に保存された患者情報と紐付けて、データベース２０４に保存（登録）する。カンファレンス処理部２０５は、管理サーバ１００と接続された端末同士のカンファレンス処理を行う。各構成要素は、バス２０６を介してそれぞれ通信可能に接続される。なお、管理サーバ１００は、第１の端末１０２や第２の端末１０３以外にも、例えば、医療施設に備えられる医療機器等と直接接続され、検査画像等のデータを直接やり取りしてもよい。
【００１４】
第１の端末１０２は、第１の端末１０２の全体を制御する制御部１１２と、入力部１２２と、表示部１３２と、ネットワーク１０１を介して管理サーバ１００や第２の端末１０３等とデータを送受信する通信部１４２と、各種データを保存するデータベース１６２を含む。各構成要素は、システムバス１５２によりそれぞれ接続される。入力部１２２は、管理サーバ１００に保存しようとする画像等のデータを端末に取り込むスキャナやカメラ等であってよく、また表示されている情報の選択入力などの入力操作を行う。なお、入力部１２２は、端末内に限定することなく、例えば、端末に接続されたスキャナやカメラ等の機能、マウスやキーボード、タッチパネルなどの入力機能を有する外部装置であってもよい。表示部１３２は、管理サーバ１００等の各装置から送信された表示情報に基づいて表示を行う。第２の端末１０３も第１の端末１０２と同様の構成を有しており、制御部１１３と、入力部１２３と、表示部１３３と、通信部１４３と、データベース１６３と、各構成要素を接続するシステムバス１５３を含む。
【００１５】
なお、本実施形態に係る遠隔医療ネットワークシステムは、いわゆるクラウドコンピューティングによって提供される。ここでいうクラウドコンピューティングとは、管理サーバ１００のようなコンピューティング資源を、ソフトウェア、ハードウェア、処理性能、記憶領域、ファイル、データなどを含めて、ネットワークを通じて外部の利用者に提供する形態をいう。
【００１６】
次に、図３を参照して、本実施形態に係るマッチング処理について説明する。まず、第１の端末１０２の入力部を介してマッチング開始操作指示を行い、その操作情報が管理サーバ１００へ送信される（ステップＳ３０１）。次に、管理サーバ１００にて、第１の端末１０２からの操作情報に基づいて、データベース２０４内に保存された情報から所定の情報を取得する。そして、第１の端末１０２で表示するための表示情報（例えば、医師のリスト、医療施設のリストなど）を生成する（ステップＳ３０２）。次に、管理サーバ１００は、生成した表示情報を第１の端末１０２に送信する（ステップＳ３０３）。
【００１７】
第１の端末１０２は、受信した表示情報に基づいて表示部１３２に表示する。そして、表示された情報を基に入力部１２２を介してカンファレンス開始操作を行う（ステップＳ３０４）。そして、管理サーバ１００へ操作情報を送信する（ステップＳ３０５）。次に、管理サーバ１００は、第１の端末１０２から送信された操作情報に基づいてカンファレンス先の第２の端末１０３を検索し、表示情報（例えば、リストや医療用画像など）を生成する（ステップＳ３０６）。そして、管理サーバ１００は、第２の端末１０３へ表示情報の送信と、カンファレンス要求を行う（ステップＳ３０７）。
【００１８】
第２の端末１０３は、受信した表示情報とカンファレンス要求に基づいて、カンファレンスを開始し、表示部１３３に表示を行う（ステップＳ３０８）。次に、入力部１２３を介して、操作を行い、操作情報を管理サーバ１００へ送信する（ステップＳ３０９）。次に、管理サーバ１００は、受信した操作情報に基づいて必要な情報をデータベース２０４から取得して、表示情報を生成する（ステップＳ３１０）。そして、生成した表示情報を第１の端末１０２および第２の端末１０３へ送信する（ステップＳ３１１、ステップＳ３１２）。
【００１９】
第２の端末１０３は、受信した表示情報に基づいて表示部１３３に表示を行う（ステップＳ３１３）。また、第１の端末１０２は、受信した表示情報に基づいて表示部１３２に表示を行い、入力部１２２を介して操作を行う（ステップＳ３１４）。そして、操作情報を管理サーバ１００に送信する（ステップＳ３１５）。管理サーバ１００は、受信した操作情報に基づいてデータや情報をデータベース２０４に登録する（ステップＳ３１６）。この時、管理サーバ１００の紐付け部２０３により、患者情報などのデータベース２０４に保存されている情報に紐付けてカンファレンス内容や操作情報などが紐付けて保存される。なお、生成される表示情報については、後述の図４に示す情報に基づいて生成される。
【００２０】
以上が基本的なマッチング処理のフローである。具体的なマッチング処理について、上記のフローに沿って説明する。本実施形態では、遠隔地の医療設備の乏しい医療施設（Ａ地点）から医療設備の整った医療施設（Ｂ地点）へ診療依頼をする際に、Ａ地点の医師とＢ地点の専門医が予め患者情報に基づいてカンファレンスを行い、適切なマッチングを行う場合について説明する。
【００２１】
まず、Ａ地点にいる医師が第１の端末１０２を操作し、マッチング開始操作を行う（ステップＳ３０１）。管理サーバ１００は、受信したマッチング開始操作に基づいてデータベース２０４に保存された専門医などの医師情報、医療施設の設備情報を含む医療施設情報などの情報をリスト化し、表示情報を生成する（ステップＳ３０２）。次に、管理サーバ１００は、生成した表示情報を第１の端末１０２に送信する（ステップＳ３０３）。Ａ地点の医師は、管理サーバ１００から送信された表示情報に基づいて表示部１３２に表示された専門医情報から、入力部１２２を介してＢ地点の専門医を選択するとともに、当該専門医へのカンファレンス開始操作を行う（ステップＳ３０４）。この時、第１の端末から患者情報や、当該患者の医療用画像などのデータも併せて管理サーバ１００に送信する（ステップＳ３０５）。なお、本実施形態では、Ｂ地点の専門医以外にも、他の専門医の医師情報や、医療施設の場所や設備等の施設情報などは、予め管理サーバ１００のデータベース２０４に保存しておくものとする。
【００２２】
カンファレンス開始操作を受けた管理サーバ１００は、データベース２０４に保存された医師情報からＢ地点の専門医を検索し、Ｂ地点の専門医へカンファレンス要求を行う。この時、データベース２０４に保存された医療施設情報の内、位置情報や設備情報などをリスト化し、表示情報として生成し、第２の端末１０３に送信する（ステップＳ３０６、ステップＳ３０７）。また、第１の端末から送信された患者情報等の情報やデータをデータベース２０４に保存しつつ、データベース２０４に保存された患者情報がある場合には、紐付け部２０３により紐付けを行い、併せて患者情報を送信する。
【００２３】
Ｂ地点の専門医は、第２の端末１０３でカンファレンス要求を受けてＡ地点の医師とのカンファレンスを開始する。この時、同時に、受信した表示情報に基づいて、表示部１３３により必要な医療用画像の表示等を行う（ステップＳ３０８）。なお、医療用画像については、データ量が重いため、生データや圧縮データを直接送信するのではなく、ブラウザなどのビューワで表示可能な表示情報を送信する。その他、各端末の入力部より入力された操作情報に基づく表示についても、管理サーバ１００の制御部２０１により表示が制御され、各端末上で表示するための表示情報が送信される。このように、管理サーバ１００上で表示制御を行い、表示情報を各端末に送信することで、ネットワーク回線の帯域が狭い地域とのカンファレンス等であっても、各端末で、同じ画像を同じ表示精度で視認することができる。
【００２４】
Ａ地点の医師とＢ地点の専門医との間でカンファレンス中に、例えば、患者の情報や医療用画像等からＢ地点の専門医が第２の端末１０３の入力部１２３を介して必要な設備や医療施設などを入力する（ステップＳ３０８）。そして、入力した情報（操作情報）が第２の端末１０３から管理サーバ１００に送信される（ステップＳ３０９）。管理サーバ１００は、受信した操作情報と、先に受信したＡ地点の位置情報からデータベース２０４に保存された医療施設の情報を検索して取得し、表示情報（例えば、医療施設のリスト）を生成する（ステップＳ３１０）。そして、生成した表示情報を第１の端末１０２と第２の端末１０３へ送信する（ステップＳ３１１、ステップＳ３１２）。表示情報の生成については、Ｂ地点の専門医が第２の端末１０３の入力部１２３より入力した必要な設備の情報と、Ａ地点の位置情報から、Ａ地点に近く、必要な設備の整った医療施設を、データベース２０４から取得し、表示情報を生成する。なお、必要に応じて、位置情報に加えて、地図情報や鉄道情報などのインフラ情報と道路情報も加味して、通いやすい医療施設を取得してもよい。また、Ａ地点から取得した医療施設までのルートや所要時間なども併せて表示情報（リスト）として生成してもよい。
【００２５】
表示情報を受信した第１の端末１０２を操作するＡ地点の医師は、受信した表示情報を基に表示部１３２により表示されたリストから、医療施設を選択する（ステップＳ３１４）。この時、Ｂ地点以外にも近い医療施設があった場合には、Ｂ地点以外を選択してもよい。次に、入力部１２２を介して選択した操作情報は、管理サーバ１００へ送信される（ステップＳ３１５）。そして、管理サーバ１００は、各端末から受信した操作情報やカンファレンス結果について、データベース２０４に保存（登録）する（ステップＳ３１６）。この時、紐付け部２０３により患者情報や医師情報、医療施設情報等と紐付けて保存してもよい。紐付けて保存することで、他の医師がカンファレンスを行う際に、カンファレンス先の専門医が以前にどのようなカンファレンスを行ったのか、患者がどの医療施設に通院したのかなどの情報を、容易に把握することができる。
【００２６】
ステップＳ３１４で選択した医療施設がＢ地点の医療施設でない場合は、選択された医療施設に所属する専門医と、患者についてカンファレンスを行うことで、診察等の時間を短縮することができ、患者の負担軽減となる。なお、この場合、カンファレンスを行う際には、また、ステップＳ３０１〜ステップＳ３１５を繰り返す。なお、カンファレンス処理や各端末からの操作情報については、非同期、かつリアルタイムで、管理サーバ１００へ送信され、管理サーバ１００は、各端末からの操作情報に基づいて表示情報を生成し、各端末へ送信する。
【００２７】
以上により、管理サーバ１００から送信された表示情報を基にＡ地点の医師とＢ地点の専門医は、互いにカンファレンスをしながら、同じ情報を表示することができ、より適切な医療施設への診療が可能となる。また、Ａ地点の医師がＢ地点の専門医と予めカンファレンスをすることで、患者の負担を軽減することができる。
【００２８】
さらに、例えば、一般的には、Ａ地点の医師がＢ地点の専門医の診察が必要と判断した場合、患者は、紹介状を持ってＡ地点から遠い場所にあるＢ地点の医療施設へ受診する。この場合、Ｂ地点の専門医の判断では、Ａ地点でも十分に診療が可能である場合やＢ地点ではなくＡ地点の近くのＣ地点の医療施設で十分に診療が可能である場合がある。本実施形態では、予め、Ａ地点の医師とＢ地点の専門医がカンファレンスを行って、各地点から取得された位置、施設情報や必要な医療施設情報に基づいて適切な医療施設や専門医をマッチングすることができる。そのため、患者が紹介状を持って遠いＢ地点まで行かなくても、比較的近いＣ地点でも適切な診療を受けることができる。
【００２９】
また、マッチングに際して、第１の端末１０２から送信される情報（データ）に患者情報を含ませることで、当該患者の患者情報と、データベースに保存されている患者情報を紐付けすることもできる。そして、紐付けられた患者情報から以前に受診したことのある病院があれば、その情報も含めて表示情報（医療施設のリストなど）を生成することができる。
【００３０】
さらに、カンファレンス中に各端末の入力部によりデータや情報を入力する際には、リアルタイムで入力情報が各端末で表示可能である。また、海外から日本へ受診に来る場合は、第１の端末１０２の位置情報だけではなく、到着する空港の情報も加味することで、より適切な医療施設や専門医のマッチングが可能となる。なお、各情報に優先順位を設けてもよい。
【００３１】
次に、図４を参照して、管理サーバ１００のデータベース２０４で保存されるデータについて説明する。本実施形態において、テーブル４００は、施設名４０１、設備４０２、所属医師４０３とその専門４０４、対応状況４０５、施設の所在地４０６を含む。マッチングの際には、第１の端末１０２の入力部を介したマッチング開始操作情報の受信の際に、第１の端末の位置情報と、入力した診療科の情報から、図４に示すテーブル４００を参照して第１の端末１０２へ表示情報を送信する。この時、第１の端末１０２の表示部で表示する情報として、第１の端末１０２から近い医療施設や所属する医師のリストを表示してもよい。
【００３２】
管理サーバ１００の制御部は、図３のステップＳ３０１でマッチング開始操作情報を受信すると、データベース２０４に保存してある、図４に示すテーブル４００を参照して、所定の情報を取得し、表示情報を生成する。ステップＳ３０１では、マッチング開始の操作情報と共に第１の端末の位置情報等の情報も受信することで、位置情報を加味した表示情報を生成する。
【００３３】
次に、図５を参照して、第１の端末１０２から管理サーバ１００へカンファレンスの予約登録をする処理について説明する。まず、第１の端末１０２の入力部１２２を介して予約開始操作を行う（ステップＳ５０１）。次に、第１の端末１０２は、予約開始操作の操作情報と共に、第１の端末１０２の位置情報や第１の端末１０２のある医療施設の設備等の施設情報や患者情報、予約希望の日時等のデータを付加して、管理サーバ１００へ送信する（ステップＳ５０２）。
【００３４】
次に、管理サーバ１００の制御部２０１は、通信部２０２を介して第１の端末１０２から送信されたデータが付加された操作情報を受信し（ステップＳ５０３）、図４に示すテーブル４００を参照して（ステップＳ５０４）、専門医のリストなどの表示情報を生成する（ステップＳ５０５）。このとき、専門医の予定を管理サーバ１００のデータベース２０４に登録して、テーブル４００に追加しておき、さらに、テーブル４００をリアルタイムで更新してもよい。なお、対応状況については、専門医自身が管理サーバ１００に直接登録してもよく、他のデータベースから取得してもよい。
【００３５】
次に、管理サーバ１００の制御部は、生成した表示情報を第１の端末１０２に送信する（ステップＳ５０６）。そして、第１の端末１０２の表示部１３２は、受信した表示情報に基づいてリストを表示する（ステップＳ５０７）。次に、ユーザが第１の端末１０２の入力部１２２を介して、リストから所望の専門医を選択し、第１の端末１０２は、その選択操作の操作情報を管理サーバ１００へ送信する（ステップＳ５０８）。管理サーバ１００の制御部２０１は、通信部２０２を介して操作情報を受信し（ステップＳ５０９）、操作情報に基づいてデータベースに登録する（ステップＳ５１０）。
【００３６】
不図示ではあるが、管理サーバ１００のデータベース２０４に予約登録が完了した後、第１の端末１０２へ予約登録完了の通知を行ってもよい。そして、予約登録した日時になったら、管理サーバ１００から各端末へ自動的にカンファレンス要求を行うことで、カンファレンスを開始してもよく、また、図３に示すように、いずれかの端末からカンファレンス開始操作を行ってもよい。
【００３７】
なお、カンファレンス後、専門医がカンファレンスのレポートを作成して管理サーバ１００のデータベース２０４に保存してもよい。この時、既にデータベース２０４に保存されている患者情報と紐付け部２０３により紐付けして保存することで、そのレポートを複数の専門医によるコンサルティングやセカンドオピニオンとして利用可能である。また、第１の端末１０２は、カンファレンス依頼する遠隔地にいる医師が利用する端末として説明したが、例えば、患者が専門医と直接カンファレンスする際には、第１の端末１０２は、患者が直接操作を行ってもよい。
【００３８】
以上、本実施形態によれば、医師同士がカンファレンスを事前に行うことにより、適切な専門医と医療施設を状況に応じてマッチングする医療支援サーバを提供することができる。また、カンファレンスを行いながら、位置情報や患者情報、必要な設備情報に基づいてマッチング処理を行うことで、より適切な、専門医や医療施設のマッチングを行うことができる。
【００３９】
（第２実施形態）
本実施形態では、救急搬送時に救急車から適切な処置が可能な医療施設へ迅速に搬送する場合のマッチングについて説明する。まず、図６を参照して、救急車からマッチングおよびカンファレンスを開始して、より適切な医療施設をマッチングさせる処理について説明する。なお、ステップＳ３０１〜ステップＳ３１３については、図３に示す処理と同様であるため、その詳細な説明を省略する。また、本実施形態において、第１の端末１０２は、救急車内の端末であり、第２の端末１０３は、所定の医療施設において専門医が操作する端末であり、第３の端末１０４は、第２の端末１０３と異なる位置に存在する医療施設に所属する専門医が操作する端末として説明する。なお、不図示ではあるが、第３の端末１０４についても第１の端末１０２や第２の端末１０３と同様の構成を有しているものとする。
【００４０】
ステップＳ３１３で、第２の端末１０３の表示部１３３が表示情報（リスト）を表示した後、第１の端末１０２では、表示部１３２で表示されたリストから入力部１２２を介して第３の端末１０４を操作する専門医を選択し、当該専門医とカンファレンスをするためにカンファレンス開始操作を行う（ステップＳ６０１）。次に、操作情報が通信部１４２を介して、管理サーバ１００に送信される（ステップＳ６０２）。管理サーバ１００の制御部２０１は、受信した操作情報をデータベース２０４に保存する（ステップＳ６０３）と共に、端末選択された専門医（第３の端末１０４）に対してカンファレンス要求を行う（ステップＳ６０４）。この時、患者情報などの必要な情報も併せて生成し、第３の端末１０４に送信する。カンファレンス要求を受けた第３の端末１０４は、カンファレンスを開始する（ステップＳ６０５）。そして、再度、ステップＳ３０８からの処理が第１の端末１０２、管理サーバ１００、第３の端末１０４の間で行われ、第１の端末１０２と第３の端末１０４との間でカンファレンスが行われる。
【００４１】
なお、本実施形態では、ステップＳ３０２でカンファレンス先の表示情報（リスト）を第１の端末１０２に送信する際、リストの専門医は、患者情報から紐付けられた医療施設の専門医であってもよく、または救急車（第１の端末１０２）の位置情報から検索された専門医であってもよい。また、救急車の位置情報をリアルタイム（例えば、１秒毎や０．５秒毎等）で取得することで、ステップＳ３０８で第２の端末１０３で表示される医療施設のリストが救急車の現在地を加味したリストを作成することができる。
【００４２】
本実施形態の、より具体的なマッチング処理について説明する。まず、救急車内で、救急隊員では判断することのできない症状の患者を搬送する場合、マッチング開始の操作情報を受信した管理サーバ１００は、専門医等のリストに加えて専門医に紐付く症状のリスト（表示情報）を生成して第１の端末１０２（救急車）へ送信する。表示情報を受信した第１の端末１０２の表示部１３２にリストが表示され、救急隊員は、表示される症状のリストから当該患者の症状を選択し、選択した症状に紐付けられる専門医へカンファレンス開始操作を行う。カンファレンスの際に、ステップＳ３０６で、管理サーバ１００の制御部２０１は、救急車のリアルタイム位置情報から近くの医療施設をデータベース２０４から取得して、表示情報（リスト）を生成し、第２の端末１０３へ送信する。医療施設の設備情報を基に第２の端末１０３を操作する専門医が患者の症状等から必要な設備を選択し、医療施設を選択する。そして、選択した操作情報を管理サーバ１００に送信する。
【００４３】
第２の端末１０３の端末を操作する専門医が所属する医療施設が選択された場合、そのまま、その医療施設へ搬送する。もし、第２の端末の端末１０３を操作する専門医が所属する医療施設以外の設備を有する医療施設が選択された場合、選択された医療施設に所属する専門医が操作する第３の端末１０４へカンファレンス要求がなされ、カンファレンスが開始される。このように、カンファレンスを伴うマッチング処理を行うことで、救急患者を迅速に適切な処置が可能な医療施設へ搬送することができる。
【００４４】
以上、本実施形態によれば、適切な専門医と医療施設を状況に応じてマッチングする医療支援サーバを提供することができる。また、救急搬送時に適切な処置が可能な医療施設をマッチングすることができる。これにより、救急搬送時にたらい回しされることなく、適切な処置な医療施設へ搬送することができる。また、予めカンファレンスを行っていることで、病院等の医療施設に搬送後、すぐに適切な処置が可能となる。
【符号の説明】
【００４５】
１００  管理サーバ
１０１  ネットワーク
１０２  第１の端末
１０３  第２の端末
２０１  制御部
２０４  データベース
２０５  カンファレンス処理部
【図１】
2017146809.tif 000003
【図２】
2017146809.tif 000004
【図３】
2017146809.tif 000005
【図４】
2017146809.tif 000006
【図５】
2017146809.tif 000007
【図６】
2017146809.tif 000008